(57)【要約】      （修正有）【課題】照明器具や点検口を配置しても煩雑にならず、美観に優れた天井を提供する。【解決手段】天井板１１０の開口に設置された複数の外枠１２２と、外枠１２２への固定及び開閉が可能な開閉式照明器具本体１２０が少なくとも１つ設置された照明システムであって、開閉式照明器具本体１２０と外枠１２２は、回転軸１５０及び軸受けによって連結可能であるとともに、ロックによって支持可能であり、ロックを外すことにより回転軸１５０を軸として開閉可能である。【選択図】図５
2019121553.tif 000002
【特許請求の範囲】
【請求項１】
設置面の開口に設置された複数の外枠と、前記外枠に対して開閉が可能な開閉式照明器具本体が少なくとも１つ設置された照明システムであって、
前記開閉式照明器具本体と前記外枠は、前記開閉式照明器具本体又は前記外枠が備える回転軸及び軸受けによって連結可能であるとともに、前記開閉式照明器具本体又は前記外枠が備えるロックによって前記開閉式照明器具本体が前記外枠に支持可能であり、
前記開閉式照明器具本体は、前記ロックを外すことにより前記回転軸を軸として開閉可能である、照明システム。
【請求項２】
前記開閉式照明器具本体が設置されない前記外枠に、板又は固定式照明器具本体が設置される請求項１に記載の照明システム。
【請求項３】
前記開口は、格子状以外の配置がなされた、請求項１に記載の照明システム。
【請求項４】
前記開閉式照明器具本体は、点検口兼用のものと及び点検口兼用でないものを含み、点検口兼用のものと点検口兼用でないものは識別可能となっている、請求項１に記載の照明システム。
【請求項５】
透光性シートが貼られた設置面と、前記設置面に設置された複数の外枠と、前記外枠に固定可能な照明器具が少なくとも１つ設置された照明システムであって、
前記照明器具の拡散板には、前記設置面に貼られた透光性シートと同じ素材の透光性シートが貼られている、照明システム。
【請求項６】
前記透光性シートは、布地の外観を備えた透光性シートである、請求項５に記載の照明システム。
【請求項７】
外枠と内枠を備えた開口の開閉機構であって、
前記外枠に回転軸受け、前記内枠に回転軸を備え、前記回転軸は前記回転軸受けに挿入される方向に弾性力が加わっており、
前記開閉機構はさらに内枠に支持された押さえ板を備え、
前記押さえ板を内枠側に押さえることにより、前記回転軸が前記回転軸受けから外れ、前記内枠を前記外枠から外すことが可能な、開口の開閉機構。
【請求項８】
前記押さえ板は、前記弾性力を備える、請求項７に記載の開口の開閉機構。
【請求項９】
開口の外枠と開閉式照明器具本体の内枠を備えた開閉式照明器具であって、
前記外枠に回転軸受け、前記内枠に回転軸を備え、前記回転軸は前記回転軸受けに挿入される方向に弾性力が加わっており、
前記開閉機構はさらに内枠に支持された押さえ板を備え、
前記押さえ板を内枠側に押さえることにより、前記回転軸が前記回転軸受けから外れ、前記内枠を前記外枠から外すことが可能な、開閉式照明器具。
【請求項１０】
外枠と開閉式照明器具本体を備え、前記外枠と前記開閉式照明器具本体の一方に回転軸、他方に回転軸受けを備えた開閉式照明器具であって、
前記回転軸は、前記開閉式照明器具本体の内辺と外辺の間隔を１００％として、内辺から１０％以上５０％以下の範囲に設けられている、開閉式照明器具。
【請求項１１】
前記外枠における前記回転受けより内辺に近い位置に、前記回転軸を支持するためのくぼみが設けられている、請求項１０に記載の開閉式照明器具。
【請求項１２】
外枠と開閉式照明器具本体を備え、前記外枠と前記開閉式照明器具本体の一方に回転軸、他方に回転軸受けを備えた開閉式照明器具であって、
前記開閉式照明器具本体の上面であって前記回転軸より内辺に近い位置に、電源が備えられている、開閉式照明器具。
【発明の詳細な説明】
【技術分野】
【０００１】
本発明は、照明システムと、この照明システムに適した開閉機能付天井埋込型照明器具（開閉式照明器具）に関する。
【背景技術】
【０００２】
天井には照明器具、空調機器、無線中継器、換気口、スピーカー、監視カメラなどの機器・設備に加えて、天井裏を人が覗いたり天井裏に人が入るための点検口が配置される場合がある。このような多数の天井設置機器や点検口により、天井が煩雑になり美観が損なわれている場合がある。そこで、蛍光灯器具と点検口を組合せた点検口照明として美観を向上させた例として、例えば特許文献１に記載のものがあるが、既存の蛍光灯器具と点検口との組み合わせでは厚さ・重量が大きく、点検口として容易に開閉し人の出入りができるという機能が阻害されるため、ほとんど実用化されていなかった。
【０００３】
近年、従来型照明に比べて軽量・薄型なＬＥＤ（Light  Emitting  Diode）を用いて、点検口とＬＥＤ照明器具を組み合わせる提案がなされている。例えば特許文献２では、蓋体を導光体型ＬＥＤ照明とし、外枠の一側縁部に回転自在に連結した点検口照明が開示されている。特許文献３には、浴室点検用蓋にＬＥＤ照明機能をもたせ浴室点検用蓋を押し上げてずらすことにより開口するものが開示されている。
【０００４】
関連する技術であるシステム天井として、例えば特許文献４に、あらかじめ天井に略格子状にバーを備え、その中のいくつかの格子内に、ＬＥＤパネルや有機ＥＬパネル等の略正方形の光源パネルを備えたものが開示されている。
【先行技術文献】
【特許文献】
【０００５】
【特許文献１】特開２０１１−２５８４４９号公報
【特許文献２】特開２０１０−２７５７４７号公報
【特許文献３】特開２０１５−１４８１０６号公報
【特許文献４】特開２００８−２８２７８２号公報
【発明の概要】
【発明が解決しようとする課題】
【０００６】
従来は、点検口照明という個別の器具の提案はあったが、天井全体の美観を考えた照明システムの提案は見当たらない。そこで、本発明の課題は、照明器具や点検口を配置しても煩雑にならず、美観に優れた天井を実現することである。あるいは、点検口として使用可能な開閉式照明器具の配置の変更が容易であり、美観に優れた天井を実現することである。さらには、照明器具や点検口の存在自体を感じさせにくい、美観に優れた天井を実現することである。
【０００７】
また、本発明の課題は、開閉式照明器具として、安全に開閉及び着脱ができることである。具体的な例としては、従来の点検口照明に比べて、開閉時に支える重さを低減させた開閉式照明器具とすることである。
【課題を解決するための手段】
【０００８】
上述の課題を解決するため、本発明は、天井面、壁面又は床面などの設置面の開口に設置された複数の外枠と、前記外枠に対して開閉が可能な開閉式照明器具本体が少なくとも１つ設置された照明システムであって、前記開閉式照明器具本体と前記外枠は、前記開閉式照明器具本体又は前記外枠が備える回転軸及び軸受けによって連結可能であるとともに、前記開閉式照明器具本体又は前記外枠が備えるロックによって前記開閉式照明器具本体が前記外枠に支持可能であり、前記開閉式照明器具本体は、前記ロックを外すことにより前記回転軸を軸として開閉可能である、照明システムである。
【０００９】
また、好ましくは、前記開閉式照明器具本体が設置されない前記外枠に、板又は固定式照明器具本体が設置される照明システムである。
【００１０】
また、好ましくは、前記開口は、格子状以外の配置がなされた、照明システムである。
【００１１】
また、好ましくは、前記開閉式照明器具本体は、点検口兼用のものと及び点検口兼用でないものを含み、点検口兼用のものと点検口兼用でないものは識別可能となっている、照明システムである。
【００１２】
また、本発明は、透光性シートが貼られた設置面と、前記設置面に設置された複数の外枠と、前記外枠に固定可能な照明器具が少なくとも１つ設置された照明システムであって、前記照明器具の拡散板には、前記設置面に貼られた透光性シートと同じ素材の透光性シートが貼られている、照明システムである。
【００１３】
また、好ましくは、前記透光性シートは、布地の外観を備えた透光性シートである照明システムである。
【００１４】
また、好ましくは、前記透光性シートは、不燃性シートである照明システムである。
【００１５】
また、本発明は、外枠と内枠を備えた開口の開閉機構であって、前記外枠に回転軸受け、前記内枠に回転軸を備え、前記回転軸は前記回転軸受けに挿入される方向に弾性力が加わっており、前記開閉機構はさらに内枠に支持された押さえ板を備え、前記押さえ板を内枠側に押さえることにより、前記回転軸が前記回転軸受けから外れ、前記内枠を前記外枠から外すことが可能な、開口の開閉機構である。
【００１６】
好ましくは、前記押さえ板は、前記弾性力を備える、開口の開閉機構である。
【００１７】
また、本発明は、開口の外枠と開閉式照明器具本体の内枠を備えた開閉式照明器具であって、前記外枠に回転軸受け、前記内枠に回転軸を備え、前記回転軸は前記回転軸受けに挿入される方向に弾性力が加わっており、前記開閉機構はさらに内枠に支持された押さえ板を備え、前記押さえ板を内枠側に押さえることにより、前記回転軸が前記回転軸受けから外れ、前記内枠を前記外枠から外すことが可能な、開閉式照明器具である。
【００１８】
また、本発明は、外枠と開閉式照明器具本体を備え、前記外枠と前記開閉式照明器具本体の一方に回転軸、他方に回転軸受けを備えた開閉式照明器具であって、前記回転軸は、前記開閉式照明器具本体の内辺と外辺の間隔を１００％として、内辺から１０％以上５０％以下の範囲に設けられている、開閉式照明器具である。
【００１９】
また、本発明は、外枠と開閉式照明器具本体を備え、前記外枠と前記開閉式照明器具本体の一方に回転軸、他方に回転軸受けを備えた開閉式照明器具であって、前記開閉式照明器具本体の上面であって前記回転軸より内辺に近い位置に、電源が備えられている、開閉式照明器具である。
【００２０】
好ましくは、前記外枠における前記回転受けより内辺に近い位置に、前記回転軸を支持するためのくぼみが設けられている。
【００２１】
好ましくは、前記回転軸は、前記開閉式照明器具本体の内辺と外辺の間隔を１００％として、内辺から１０％以上５０％以下の範囲に設けられている。
【発明の効果】
【００２２】
本発明により、照明器具や点検口等を配置しても煩雑にならず、美観に優れた天井を実現することができる。
【００２３】
また、本発明により、照明器具や点検口の存在自体を感じさせにくい、美観に優れた天井を実現することができる。
【００２４】
また、本発明により、取り外しが容易な開閉機構を実現することができる。
【００２５】
また、本発明により、開閉式照明器具として、安全に着脱できる。
【００２６】
また、本発明により、開閉式照明器具を開閉する際に支える重さを低減することができる。
【図面の簡単な説明】
【００２７】
【図１】開閉式照明器具の天井での配置を示す模式図。
【図２】開閉式照明器具の天井での格子状以外の任意の配置を示す模式図。
【図３】照明器具の表面に天井と同じ透光性シートを貼り付けた照明システムの消灯時天井模式図。
【図４】照明器具の表面に天井と同じ透光性シートを貼り付けた照明システムの点灯時天井模式図。
【図５】一実施形態の開閉式照明器具を天井に設置した上面図。
【図６】一実施形態の開閉式照明器具を天井に設置した断面図。
【図７】一実施形態の開閉式照明器具本体の開口を開いた状態の側面図及び閉じた状態の上面拡大図。
【図８】他の実施形態の開閉式照明器具を天井に設置した上面図。
【図９】他の実施形態の開閉式照明器具の開閉を説明するための側面図。
【発明を実施するための形態】
【００２８】
＜天井に開閉式照明器具を配置した天井システムの実施形態＞
図１は開閉式照明器具の天井での配置を示す模式図である。最初に天井３１０に複数の開口３１４をあけておき、四角形の外枠１２２（後述）を設置する。その開口に開閉式照明器具本体３１２、固定式照明器具本体３１１又は板３１３のいずれかを設置する。開閉式照明器具本体３１２のいくつかを図に示すように開状態にすることにより、照明器具の設置・交換が容易となるとともに、適宜点検口兼用とすることが可能なため、別途天井に煩雑な点検口を設けないことが可能な照明システムを実現できる。そのため、例えば空調機器の増設などのために点検口を増設する必要が生じた場合、点検口を増設する工事を行うことなく、固定式照明器具本体３１１を開閉式照明器具本体３１２に置き換えることにより新たな点検口として機能させることができる。なお、開閉式照明器具本体とは、ロック機構を外すと外枠に一部が支持されて吊り下げられた開状態を取ることのできる器具であり、固定式照明器具本体とは、外枠との分離・固定が可能であるが、外枠に一部が支持されて吊り下げられた開状態がない器具である。
【００２９】
開閉式照明器具本体３１２の具体的な構造は、後述する開閉式照明器具本体１２３又は２２３に記載する。開閉式照明器具本体１２３側に回転軸、開口３１４の外枠１２２に回転軸受けが備えられ、回転軸が回転軸受けに挿入される。
【００３０】
固定式照明器具本体３１１としては、例えば特許文献４に記載の光源ユニットのような正方形の板型の照明器具を、開口部の外枠１２２に載せ、固定すればよい。
【００３１】
点検口を兼用しない場合であっても、開閉式照明器具本体３１２を設置し、設置及び交換以外の場合は開閉せずに使用してもよい。そのような開閉式照明器具本体３１２を不用意に開閉させないために、点検口兼用の開閉式照明器具本体と点検口兼用でない開閉式照明器具本体を識別可能とすることが望ましい。具体的には、後述するロック１３６の色・形・位置・数などを点検口兼用の開閉式照明器具本体３１２のものと変えたり、点検口兼用でない開閉式照明器具のロック１３６が簡単にロック解除できないようにするとよい。
【００３２】
開口３１４には、開閉式照明器具本体３１２、固定式照明器具本体３１１以外の天井設置器具を設置してもよい。例えば空調機器、換気口を設置してもよく、板３１３にスプリンクラー、ガス警報器、スピーカー、無線中継器、監視カメラ等を取り付けて設置してもよい。板３１３に取り付けた機器は、板３１３を天井３１０から取り外すことにより容易にメンテナンスすることができる。開口３１４に、照明器具と兼用でない通常の点検口を設置してもよい。
【００３３】
複数の外枠１２２は独立しており連結していない。そのため図２に示すように、開口の配置は格子状以外の任意の配置とすることができる。例えば部屋の形状が四角形でない場合に、開口３１４Ａのように、適宜配置位置を格子位置からずらすことができる。開口３１４Ｂのように、暗くなりがちな隅部に寄せることにより、部屋の照度を均一化することもできる。
【００３４】
なお、このような開口を配置した照明システムは、天井面以外に壁面、床面などの設置面であっても適用可能である。
【００３５】
＜照明器具と天井の表面に同じ透光性シートを貼り付けた天井システムの実施形態＞
図３に、照明器具の表面に天井に貼り付けたのと同じ透光性シートを貼り付けた照明システムの、消灯時天井模式図を示す。
【００３６】
天井４１０、固定式照明器具本体４１１、開閉式照明器具本体４１２のすべてに、同じ布地の外観を備えた透光性シート４１５を貼り付けている。透光性シートとしては、照明の観点からは光透過性の高い素材が好ましく、例えばリリカラ株式会社製の不燃性壁紙ＬＹ−１４７９１を用いることができる。布地状の透光性シートは、縦糸と横糸を織った本物の布地でなく、例えば布地、木目その他の模様のプリントをしたシートであってもよい。なお図３では布地状の透光性シートのイメージを図示するために、布目を実際よりはるかに粗く表示している。
【００３７】
図４に、この照明システムの点灯時天井模式図を示す。図３と比較して、消灯時にほとんど見えなかった固定式照明器具本体４１１、開閉式照明器具本体４１２が点灯時に突然見えるため、意外性のある建築環境を提供できる。これら照明器具の消灯時に照明器具の存在をほぼ消すことができるため、インテリア的に優れた照明システムを提供できる。
【００３８】
なお、このような照明システムは、天井面以外に壁面、床面などの設置面であっても適用可能である。照明器具は、固定式照明器具だけであっても開閉式照明器具だけであってもよい。
【００３９】
＜電源付開閉式照明器具の実施形態＞
図５は、開閉式照明器具の一例を天井に設置した上面図、図６はその断面図である。
【００４０】
開閉式照明器具１２０は、外枠１２２と開閉式照明器具本体１２３からなる。開口となる外枠１２２の内寸は４５ｃｍ角だが、３０ｃｍ角、６０ｃｍ角など建築で通常用いられるサイズとしてもよい。
【００４１】
外枠１２２は、照明器具の重量あるいは点検する人の体重を支持するため、一般に、天井板１１０の補強材である野縁Ｍバー１１３、取付用チャンネル１１２と、チャンネルキャッチ１１９などを用いて固定される。
【００４２】
開閉式照明器具の万が一の落下を防止するため、落下防止ワイヤ１２８を、内枠１２４と天井側の部材（例えば取付用チャンネル１１２）の間に、例えば内枠１２４に落下防止ワイヤ１２８を通したスプリングフック１２７をひっかけて設置することが好ましい。
【００４３】
開閉式照明器具本体１２３は、ＬＥＤ基板１３４にＬＥＤ素子１３２を約３ｃｍ間隔で縦・横に配置し、ＬＥＤ基板１３４から３ｃｍ程度離した距離に高光透過性アクリルからなる拡散板１３０を設置したものである。このようにＬＥＤ素子間隔に対して拡散板をある程度離すことにより、拡散板上にＬＥＤの輝度ムラ（粒々感）がほとんど生じないようになる。また、ＬＥＤ素子１３２の正面に拡散板がある直下型面光源の構造のため、導光板型より効率に優れる。器具重量を例えば２ｋｇ程度と軽量化するため、鉄板でなくアルミニウム板、マグネシウム合金などの軽量金属を用いることが望ましい。全光束は天井高さに応じて５５００ｌｍから１４０００ｌｍ程度とし、調光できることが好ましい。色温度はオフィスでの使用では５０００Ｋ程度が好適だが、さらに例えば２５００Ｋから５０００Ｋに調色できるとよい。
【００４４】
開閉式照明器具本体１２３側に回転軸１５０を設け、外枠１２２側の回転軸受け１６０に挿入することにより、開閉式照明器具本体１２３は回転可能に外枠１２２に支持される。
【００４５】
開閉式照明器具本体１２３側のスライド式ロック１３６を固定側にスライドして、外枠１２２側がロック１３６により開閉式照明器具本体１２３を支持する状態とする。なお、ロック１３６としては回転式のものや、外枠側に備えられたものがあり、適宜置き換えてもよい。
【００４６】
開閉式照明器具本体１２３のロック近傍を手で支え、ロックを外すと、開閉式照明器具本体１２３の重さが手にかかり、ゆっくりと降ろすと開閉式照明器具本体１２３が回転軸１５０を軸に回転して開状態となる。開閉式照明器具本体１２３は板状の点検口と比べて重量があるため、支持する人に負担となるが、支持する重さである開方向回転力１３８を弱めるために、回転軸よりも右側に重量物である電源１４０を設置している。ここでは内枠幅４４ｃｍに対し、回転軸を図の内枠左端から７ｃｍの位置に設置し、それよりも左側に電源１４０を設置している。これにより、電源１４０が閉方向回転力１３９を与えるバランスウエイトとして働き、ロックを外した時に支える重さが軽くなる。
【００４７】
電灯線１４４を開閉式照明器具本体１２３の横側（回転軸のある辺）より端子台１４２に配線する。端子台１４２はほぼ回転軸１５０上にあると、回転により電灯線１４４が引っ張られないため好ましいが、回転軸１５０より少し奥側に配置してもよく、その場合わずかではあるが支える重さを緩和する。電源１４０によって変換されたＬＥＤ駆動電力は、ＬＥＤ駆動用コード１４５を介してＬＥＤ基板１３４に供給される。
【００４８】
開閉式照明器具本体１２３の落下防止のため、内枠１２４の右辺から、野縁Ｍバー１１３又は野縁受けなどの天井構造材に落下防止ワイヤを通すことが好ましい。
【００４９】
＜取付バネを用いた開閉機構の実施形態＞
開口を構成する外枠１２２と開閉式照明器具本体１２３の内枠１２４を外し、開口を開いたときの状態の側面図を図７（ａ）に示す。回転軸１５０を押えるための押さえ板１５２が内枠の外側（両側）にあり、それぞれを両手で内側に押えることによって回転軸１５０が回転軸受け１６０から外れ、開閉式照明器具本体１２３を外枠１２２から安全に外すことが可能である。
【００５０】
外枠１２２と内枠１２４を閉じた状態の回転軸１５０、回転軸受け１６０周辺の上面拡大図を図７（ｂ）に示す。バネ１５４は回転軸１５０が回転軸受け１６０側に挿入されるように弾性力で押している。ヒンジ１５６によって支持された押さえ板１５２を手で押すことにより、バネ１５４が圧縮され、回転軸１５０を回転軸受け１６０から外すことが可能である。
【００５１】
なお、独立したバネ１５４を用いずに、押さえ板１５２自体が回転軸１５０とつながり外枠１２２側に向かう弾性を備えていてもよい。
【００５２】
回転軸受け１６０は、一方向に長い穴としているが、円形状であってもよい。もともと点検口用の回転軸受けには、点検口を取り外す際、開口に対して左右の長い穴の両端を用いることにより取り外せるものがある。本器具では、回転軸が伸縮可能なため、長い穴でなく円形状の穴であっても取り外しが可能となる。
【００５３】
この天井開口の開閉機構は、内枠１２４によって支持されるものが開閉式照明器具本体１２３でなくてもよく、例えば内枠が板を支える構造の一般的な点検口にも適用できる。内枠は独立した構造でなく、開閉式照明器具の一部であってもよい。
【００５４】
＜電源別置型開閉式照明器具の実施形態＞
開閉式照明器具２２０（外枠２２２と開閉式照明器具本体２２３よりなる）を天井へ設置した状態の上面図である図８において、電源２４０が本体側でなく、天井側に設置されている。天井板２１０には、野縁Ｓバー２１１、補強野縁２１２があるが、ここでは一例として電源２４０を補強野縁２１２の上に設置している。電灯線２４４から電力が電源２４０に入力され、直流化された電力がＬＥＤ駆動用コード２４５を介して開閉式照明器具本体２２３に供給される。ＬＥＤ駆動用コード２４５の途中には、出力コネクタ２４６と入力コネクタ２４７があるため、開閉式照明器具本体２２３を取り外す際にコードが容易に分離可能である。
【００５５】
内枠２２４には回転軸２５０、外枠２２２には回転軸受け２６０が設けられ、回転軸２５０が回転軸受け２６０に挿入可能になっている。
【００５６】
ＬＥＤ駆動用コード２４５は、ほぼ回転軸２５０と回転軸受け２６０の上を通るように配置されている。そのため、開閉式照明器具本体２２３を開閉した場合でも、コードの移動が最小限に抑えられ、引っ張られることがない。
【００５７】
開閉式照明器具本体２２３の開閉を説明するための側面図を図９に示す。従来の点検口では、点検口の回転軸は内辺２２４Ｃの近傍に設けられていた。それに対し、開閉式照明器具本体２２３は、回転軸２５０を内枠の辺の中心近くに設けている。図に示すように、内枠の幅（内辺２２４Ｃと外辺２２４Ｗの間隔）を１００％として、回転軸の位置Ｘを内辺２２４Ｃから１０％と５０％の範囲内、より好ましくは２０％以上あるいは４０％以下の範囲内とした。これにより、開方向回転力２３８と閉方向回転力２３９がある程度相殺するため、開閉式照明器具本体２２３を取り外す前の支える重さが軽くなり、作業者が、重量のある開閉式照明器具を開ける際の安全性が向上する。この方式は、電源を開閉式照明器具本体の上に搭載した先の例（開閉式照明器具本体１２０）にも適用できる。
【００５８】
開閉式照明器具本体２２３を外枠２２２から外す場合、まずロック２２６を外し、図９に示した開状態Ｐとする。次に出力コネクタ２４６と入力コネクタ２４７を外し、押さえ板２５２（押さえ板１５２と同じ構造のもの）を押して回転軸２５０を回転軸受け２６０から外せばよい。
【００５９】
開閉式照明器具本体２２３を外枠２２２から外さず簡単に天井裏を覗くこともできる。まず開状態Ｐとした後、出力コネクタ２４６と入力コネクタ２４７を外すことなく、押さえ板２５２を押して回転軸２５０を回転軸受け２６０から外し、外枠２２２の上に載せて図の左方向にすべらせ、回転軸２５０を仮固定するためのくぼみ２６１に入れ、開状態Ｑとする。これにより人が天井裏を覗いたり天井裏に入ったりするための十分なスペースが確保できる。くぼみ２６１は回転軸の位置Ｘより内辺２２４Ｃに近い位置、好ましくは内辺２２４Ｃから内枠の幅の２０％以内の位置としたが、１０％以内としてもよい。なおくぼみ２６１がなくても開状態Ｑとすることは可能である。
【００６０】
なお、開閉式照明器具本体２２３は回転軸２５０を縮めるための押さえ板２５２がないタイプであってもよく、回転軸２５０の長さが固定のものであってもよい。
【００６１】
ここでは「内枠」という独立した構造があるとして説明したが、特に独立した内枠がなく開閉式照明器具本体と一体化されている場合も、開閉式照明器具本体の外側を「内枠」とみなして同じことが言える。
【００６２】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００６３】
１１０  天井板
１１２  取付用チャンネル
１１３  野縁Ｍバー
１１９  チャンネルキャッチ
１２０  開閉式照明器具
１２２  外枠
１２３  開閉式照明器具本体
１２４  内枠
１２７  スプリングフック
１２８  落下防止ワイヤ
１３０  拡散板
１３２  ＬＥＤ素子
１３４  ＬＥＤ基板
１３６  ロック
１３８  開方向回転力
１３９  閉方向回転力
１４０  電源
１４２  端子台
１４４  電灯線
１４５  ＬＥＤ駆動用コード
１５０  回転軸
１５２  押さえ板
１５４  バネ
１５６  ヒンジ
２１０  天井板
２１１  野縁Ｓバー
２１２  補強野縁
２２０  開閉式照明器具
２２２  外枠
２２３  開閉式照明器具本体
２２４  内枠
２２４Ｃ  内辺
２２４Ｗ  外辺
２２６  ロック
２３８  開方向回転力
２３９  閉方向回転力
２４０  電源
２４４  電灯線
２４５  ＬＥＤ駆動用コード
２４６  出力コネクタ
２４７  入力コネクタ
２５０  回転軸
２５２  押さえ板
３１０  天井
３１１  固定式照明器具本体
３１２  開閉式照明器具本体
３１３  板
３１４、３１４Ａ、３１４Ｂ  開口
４１０  天井
４１１  固定式照明器具本体
４１２  開閉式照明器具本体
４１５  透光性シート
【図１】
2019121553.tif 000003
【図２】
2019121553.tif 000004
【図３】
2019121553.tif 000005
【図４】
2019121553.tif 000006
【図５】
2019121553.tif 000007
【図６】
2019121553.tif 000008
【図７】
2019121553.tif 000009
【図８】
2019121553.tif 000010
【図９】
2019121553.tif 000011